(57)【要約】      （修正有）【課題】１つのフィンガーボールにおいて、手の平をレストしながら楽に使用できる態様と、従来の一般的なお椀型として使用できる態様との２つの態様を使い分けて使用できるフィンガーボールを提供する。【解決手段】容器本体１１は周壁１２に囲まれた内側底部から周囲に第１貯液空間１３を残して周壁１２の一部に向けて盛り上がった形状となった手の平を置くための膨出部１４を有するネイルケア用のフィンガーボール１０において、該容器本体１１は上下逆向きにも載置可能とし、上下逆向きに載置した際、前記膨出部１４の裏面側が椀状の第２貯液空間を形成するネイルケアー用フィンガーボール。【選択図】図１
2014073224.tif 000002
【特許請求の範囲】
【請求項１】
容器本体は周壁に囲まれた内側底部から周囲に第１貯液空間を残して周壁の一部に向けて盛り上がった形状となった手の平を置くための膨出部を有するネイルケア用のフィンガーボールにおいて、該容器本体は上下逆向きにも載置可能とし、上下逆向きに載置した際、前記膨出部の裏面側が椀状の第２貯液空間を形成することを特徴とするネイルケアー用フィンガーボール。
【請求項２】
容器本体が樹脂製で一体成形されていることを特徴とする請求項１に記載のネイルケアー用フィンガーボール。
【請求項３】
容器本体が、２枚の金属板に膨出部や貯液空間をプレス成形したものを、間に空隙を有して重ね合わせて形成されていることを特徴とする請求項１に記載のネイルケアー用フィンガーボール。
【発明の詳細な説明】
【技術分野】
【０００１】
この発明は、付け爪の除去や指先のケアーに使用するネイルケアーに使用されるフィンガーボールに関し、更に詳しくは、表裏２通りの使用態様を有するリバーシブルタイプのネイルケアー用フィンガーボールに関するものである。
【背景技術】
【０００２】
一般に爪に付着したルーズスキンや汚れを効率よく除去するため、フィンガーボールを使用し、このボールにお湯を入れてマニキュアソーク等を滴下し、前記お湯に指先を漬けることでルーズスキンや汚れを除去することが行われている。
【０００３】
また、近年では、フィンガーボールの使い方が発展し、その素材をポリプロピレンのような溶剤に強いものにし、その中にアセトンのような溶剤を入れ、これに指先を漬けることで、施術した付け爪を取外す目的で使用したり、また、指先のケアーのため、フィンガーボールに注入したお湯にケアー用薬剤を入れ、このケアー用薬剤が発泡している間お湯に指先を漬け、甘皮を取りやすくしたり、指先に対して塗布するケアー薬剤の浸透性をよくしたりすることが行われている。
【０００４】
以上のように、現在フィンガーボールといえば、ネイルケアーの必修アイテムとなっている。しかし歴史上では、フィンガーボールというと、元々、食卓等に置き指先を洗うものとして使用されるお椀の形状のものが古くから使われてきた。
【０００５】
ネイルケアーにおいては、特にお椀型に限定せず、長い時間使用することを考え手のひらをレストしながら指先だけを液体（お湯など）に浸ける形状のものへと進化して、その形状が現在ネイルケアー用のフィンガーボールとしては一般的に普及してきた。
【０００６】
例えば、図５に示すように、材料に合成樹脂を用い、上部が開口する容器本体２の内部に、周囲に貯液空間３を残して底部から上部外周の一部に向けて碗状に盛り上がる膨出部４を設け、この膨出部４の貯液空間３に望む外面に指を沿わせるための上下方向の凹部５を五指の配置に合わせて形成した構造になっている。
【０００７】
上記図５に示す形状のフィンガーボールに関し、出願人は以前に、付け爪の除去や指先のケアーに用いる溶剤や薬剤を湯煎によって加温することができ、しかも、密閉容器による保温効果によって適温を長く維持し、甘皮の除去、付け爪の除去や指先のケアーの効率を向上させることが可能となる密閉式二重構造のフィンガーボールを提供した（特許文献１参照）。
【先行技術文献】
【特許文献】
【０００８】
【特許文献１】特許第４６８０６６６号公報
【発明の概要】
【発明が解決しようとする課題】
【０００９】
ところで、特許文献１をはじめとする図５に示す形状のフィンガーボールは、確かに、手の平をレスト出来るのと、液量の節約ができること等から利点が多く理にかなうものだが、一部のネイリストは指先をネイルブラシ等で洗浄することに重点を置くことから、従来からある一般的なお椀型のフィンガーボールを使用している。
【００１０】
そこで、この発明は、１つのフィンガーボールにおいて、手の平をレストしながら楽に使用できる態様と、従来の一般的なお椀型として使用できる態様との２つの態様を使い分けて使用できるフィンガーボールを提供することを課題とする。
【課題を解決するための手段】
【００１１】
上記のような課題を解決するため、発明者は、一つのフィンガーボールの表と裏を使い分けることで、どちらのニーズにも答えることのできるリバーシブルタイプのフィンガーボールを発明した。
【００１２】
即ち、この発明は、容器本体は周壁に囲まれた内側底部から周囲に第１貯液空間を残して周壁の一部に向けて盛り上がった形状となった手の平を置くための膨出部を有するネイルケア用のフィンガーボールにおいて、該容器本体は上下逆向きにも載置可能とし、上下逆向きに載置した際、前記膨出部の裏面側が椀状の第２貯液空間を形成することを特徴とするネイルケアー用フィンガーボールである。
【００１３】
この発明のフィンガーボール容器本体の素材は、特に限定されないが、樹脂（溶剤にはＰＰ樹脂、通常のお湯等にはＡＢＳ樹脂など）あるいはステンレスといった金属のいずれにも対応するものであるが、金属の場合は、樹脂のように厚みを確保するのが難しいことから図３のように２枚の金属板に膨出部や貯液空間をプレス成形したものを、間に空隙を有して重ね合わせて保温ボトルのような二重構造として（図３参照）、二通りの使用の利便性に保温性も確保することができる。
【発明の効果】
【００１４】
以上のように、この発明のネイルケア用フィンガーボールによると、手の平をレストしながら楽に使用できたり、液量の節約ができる使用態様と、指先をネイルブラシ等で洗浄できる従来の一般的なお椀型として使用できる態様との２つの使用態様を、１つのフィンガーボールで兼用することができるので、２つの形状のものを揃えるコストの低減や、スペース効率の向上を図ることができる。
【００１５】
また、容器本体が樹脂製で一体成形されたものは、溶剤にはＰＰ樹脂、通常のお湯等にはＡＢＳ樹脂など用途により材質を選択して形成できると共に樹脂による保温効果があり、貯液空間に溜まるネイルケア用の溶剤等を温めた状態を維持できる。
【００１６】
更に、容器本体が２枚の金属板に膨出部や貯液空間をプレス成形したものを、間に空隙を有して重ね合わせて形成したものも、空隙の存在により貯液空間に溜まるネイルケア用の溶剤や薬剤等の保温効果が生じる。
【図面の簡単な説明】
【００１７】
【図１】本発明のフィンガーボールの表側を上にした状態の斜視図である。
【図２】本発明のフィンガーボールの使用状態の斜視図である。
【図３】本発明のフィンガーボールの断面図である。
【図４】本発明のフィンガーボールの裏側を上にした状態の斜視図である。
【図５】一般的なフィンガーボールの斜視図である。
【発明を実施するための形態】
【００１８】
以下、この発明のフィンガーボールを添付図面の図１乃至図４に基づいて説明する。
図１は、この発明のフィンガーボール１０の一例を示すもので、容器本体１１は金属製であり、２枚の金属板をプレス成形したものを、間に空隙を有して重ね合わせて形成したものである。
【００１９】
容器本体１１は、底壁と周壁１２で囲まれた上面開放の略矩形状であるが、手のひらと折り曲げた五指が収まる程度の平面的な大きさと、指の長さが納まる程度の深さを有する形状に形成され、周壁１２の一方前端部は、手の指の配置に合わせて上から見て略半円状の曲面となっており、その他の部分もなめらかな曲面で各面が連続して、極力、無骨さを排除した形状をしている。
【００２０】
また、この容器本体１１の底部から連なって後方の周壁１２に向けて、上面に手のひらを載せることができる碗状に盛り上がり、下部が周壁１２との間に第１貯液空間１３を形成する膨出部１４が形成され、この膨出部１４の第１貯液空間１３に臨む外面に指を沿わせるための上下方向の凹部１５が五指の配置に合わせて設けられている。
【００２１】
この発明のフィンガーボール１０は、上記のような構成であり、容器本体１１内に、甘皮の除去や付け爪の除去及び指先のケアー等に用いるアセトン等の溶剤や薬剤ａを入れれば、底部上の第１貯液空間１３に該溶剤や薬剤ａが貯まる。
【００２２】
この状態で、図２に示すように、膨出部１４の上面に人の手ｂの手のひらを載せ、凹部１５に沿わせた指先を第１貯液空間１３の溶剤や薬剤ａに浸漬させれば、付け爪やマニキュアの除去及び指先のケアー等が行える。
【００２３】
なお、この実施形態では、図３の断面図に示すように、容器本体１１は金属製でプレスした２枚の金属板を１７、１８を間に空隙１９を存して重ね合わせて形成してあり、この空隙１９により溶剤や薬剤が保温され、溶剤や薬剤の効果を最大限に引き出すことができるし、長時間にわたってその効果を維持できる。
【００２４】
図４は、容器本体１１を上下逆に載置したものであり、図３の断面図で示したように、表側の膨出部１４に対応する位置に、第２貯液空間１６が形成されている。
【００２５】
この第２貯液空間１６は、通常の椀状の略半球凹形状となっているので、一部のネイリストが求めている、指先をネイルブラシ等で洗浄する等の使用態様に適する。
【００２６】
この発明の１例の実施形態は上記のようなものであるが、この発明が適用できるネイルケア用フィンガーボールは、上記実施形態のものに限定されるものではなく、この発明の目的の範囲内にて種々の形状のものや、種々の材質のものに適用できるのは言うまでもない。
【符号の説明】
【００２７】
１０  フィンガーボール
１１  容器本体
１２  周壁
１３  第１貯液空間
１４  膨出部
１６  第２貯液空間
【図１】
2014073224.tif 000003
【図２】
2014073224.tif 000004
【図３】
2014073224.tif 000005
【図４】
2014073224.tif 000006
【図５】
2014073224.tif 000007